(57)【要約】【課題】確実かつ強固に安定して結束することができる結束用テープを提供する。【解決手段】  結束用テープは、テープ材に、その長手方向に掛止片を向合せ状に設けた穴を、長手方向に適宜間隔で複数形成して成る。穴は略Ｈ形状穴であか、Ｘ状切込みにより形成される。【選択図】        図１
2007326587.tif 000002
【特許請求の範囲】
【請求項１】
テープ材に、その長手方向に掛止片を向合せ状に設けた穴を、長手方向に適宜間隔で複数形成して成ることを特徴とする結束用テープ。
【請求項２】
上記穴が略Ｈ形状穴であることを特徴とする請求項１に記載の結束用テープ。
【請求項３】
上記穴がＸ状切込みにより形成されることを特徴とする請求項１に記載の結束用テープ。
【請求項４】
上記テープ材が、熱溶着性ポリエステルなどの熱溶着性繊維から成る織成または編成した後、加熱して溶融硬化せしめた細幅織編物であることを特徴とする請求項１、２または３に記載の結束用テープ。
【請求項５】
織物である上記細幅織編物の中央部の縦糸を、他の縦糸より細くすることを特徴とする請求項４に記載の結束用テープ。
【請求項６】
織物である上記細幅織編物の中央部の縦糸を、非熱硬化性糸とすることを特徴とする請求項４に記載の結束用テープ。
【請求項７】
上記細幅織編物の長手方向の中央部を、硬化処理しないことを特徴とする請求項１、２、３、４、５または６に記載の結束用テープ。
【請求項８】
上記掛止片が形成される部分の織編物組織を強化せしめることを特徴とする請求項１、２、３、４、５、６または７に記載の結束用テープ。
【請求項９】
織物である上記織編物組織の縦糸および／または横糸を太くすることを特徴とする請求項８に記載の結束用テープ。
【請求項１０】
上記織編物組織の硬化処理を強くすることを特徴とする請求項８に記載の結束用テープ。
【請求項１１】
上記テープ材を穴が重なるように十字状に交差させ、それらの穴に留具を挿設して、前記十字状部を固定することを特徴とする請求項１、２、３、４、５、６、７、８、９または１０に記載の結束用テープ。
【請求項１２】
上記穴に掛具を掛け止めることを特徴とする請求項１、２、３、４、５、６、７、８、９、１０または１１に記載の結束用テープ。
【発明の詳細な説明】
【技術分野】
【０００１】
本発明は、結束用テープに関する。
【背景技術】
【０００２】
従来、結束用テープとしては、特開２００１−２２５８６１号公報に開示されているように、テープ状に形成される熱融着性フィルムのバンドに３に、Ｕ字あるいはＶ字状の切込み４を所定間隔に連続して入れて、舌片５を形成し、このバンドに３を被結束物に巻き付けて重ね合わせ、重ね合わせた一方の舌片５を他方の切込み４に差し込んで係合し、結束する結束バンドがあった。
【０００３】
しかしながら、上記従来の結束バンドは、舌片５を切込み４に差し込んで係合するように構成されているため、強固で確実な結束を実現することができない等の問題点があった。
【特許文献１】特開２００１−２２５８６１
【発明の開示】
【発明が解決しようとする課題】
【０００４】
本発明が解決しようとする課題は、上記従来の問題点を解決し、確実かつ強固に安定して結束することができる結束用テープを提供することにある。
【課題を解決するための手段】
【０００５】
本発明の結束用テープは、テープ材に、その長手方向に掛止片を向合せ状に設けた穴を、長手方向に適宜間隔で複数形成して成ることを特徴とする。また、上記穴が略Ｈ形状穴であることを特徴とする。さらに、上記穴がＸ状切込みにより形成されることを特徴とする。又更に、上記テープ材が、熱溶着性ポリエステルなどの熱溶着性繊維から成る織成または編成した後、加熱して溶融硬化せしめた細幅織編物であることを特徴とする。更に又、織物である上記細幅織編物の中央部の縦糸を、他の縦糸より細くすることを特徴とする。また、織物である上記細幅織編物の中央部の縦糸を、非熱硬化性糸とすることを特徴とする。さらに、上記細幅織編物の長手方向の中央部を、硬化処理しないことを特徴とする。またさらに、上記掛止片が形成される部分の織編物組織を強化せしめることを特徴とする。さらにまた、織物である上記織編物組織の縦糸および／または横糸を太くすることを特徴とする。上記織編物組織の硬化処理を強くすることを特徴とする。また、上記テープ材を穴が重なるように十字状に交差させ、それらの穴に留具を挿設して、前記十字状部を固定することを特徴とする。さらに、上記穴に掛具を掛け止めることを特徴とする。
【発明の効果】
【０００６】
本発明の結束用テープは、確実かつ強固に安定して結束することができる利点がある。
【発明を実施するための最良の形態】
【０００７】
以下、本発明の実施例について、図面を参照しながら説明する。
【実施例１】
【０００８】
図１は、本発明の結束用テープの一実施例を示すもので、１はテープ材であって、熱溶着性ポリエステルなどの熱溶着性繊維糸を縦糸および／または横糸として織成した細幅織物であり、該細幅織物１をプレスしながら熱を加え、硬化せしめる。細幅織物に使用する糸は、熱溶着性繊維糸を１００％使用する必要はなく、普通のポリエステル繊維あるいは糸を、成形加工品の目的に応じて適当に混入させてもよい。また、例えば、部分的に糸の太さを変え、あるいは、強度のある新素材（アラミド繊維等）を緯糸に使用してもよい。さらに、使用する繊維や糸を着色してもよい。
【０００９】
続いて、上記テープ材１に略Ｈ形状穴２を形成する。該略Ｈ形状穴２には、テープ材１の長手方向に掛止片３が向合せ状に突設されている。上記略Ｈ形状穴２の形成方法としては、打ち抜き（クリッカー）、溶断カット（ヒートカット）、超音波カット（ソニックカット）、レーザーカット（レーザー光線による溶断）、高周波裁断などがある。上記略Ｈ形状穴２はテープ材１の長手方向に適宜間隔で複数形成されている。
【００１０】
上記方法により加工された結束用テープは、図２に示すように、折曲げ線１ａからその長手方向に二つ折りにし、この二つ折りの内側に掛止片３が入るようにしながら略Ｈ形状穴２に挿入する（破線部分を参照）。結束用テープの先端部を略Ｈ形状穴２に挿入したら、図３に示すように、所望のループ径Ｒ、すなわち、結束径にまで引き出して緩めると、交差部分の略Ｈ形状穴２の掛止片３′が、挿入した略Ｈ形状穴２の掛止片３゛の外側で掛け止められる。
【００１１】
上述のように、本発明の結束用テープは、二つ折りにする必要がある。しかしながら、硬化処理されているため、このままでは容易に二つ折りできない。そこで、テープ材１の幅方向中央を、他の部分より折れ曲がり易くするのが好ましい。折れ曲がり易くする方法としては、例えば、細幅織編物の中央部の縦糸を、他の縦糸より細くしたり、非熱硬化性糸とする。また、細幅織編物の長手方向の中央部を、硬化処理しないようにしてもよい。
【００１２】
また、本発明の結束用テープの掛止片３は、その掛け止め作用により十分な結束力を発揮しなければならない。そのために十分な強度が求められる。一方、テープ材１は結束用テープとしての柔軟性が求められる。従って、結束用テープとしての柔軟性を失わずに、掛止片３が形成される部分の織編物組織を強化せしめる手段が必要となる。強化する方法としては、例えば、織物である織編物組織の縦糸および／または横糸を太くしたり、掛止片３部分の織編物組織の硬化処理を強くする方法がある。硬化処理を強くする方法としては、具体的には、上記掛止片３が形成される部分の縦糸に熱硬化性樹脂糸を使用したり、熱硬化性樹脂をコーティングする。
【実施例２】
【００１３】
図４は、本発明の結束用テープの別の実施例を示すもので、上記テープ材１と同様のテープ材４にＸ状切込み５および折曲げ線６を入れて掛止片７を向合せ状に形成されている。従って、図４（Ｃ）に示すように、上記実施例１と同様に、二つ折りにしたテープ材４の先端により掛止片７を押し広げて、穴８に挿入することが出来る。上記実施例１と同様に、必要な箇所で、２つの掛止片７を掛け止めて、被結束材（図示せず）を結束する。
【００１４】
上記テープ材１を穴２、８が重なるように十字状に交差させ、それらの穴に適当な留具（図示せず）を挿設して、前記十字状部を固定するようにしてもよい。
また、上記穴２、８に適当な掛具（図示せず）を掛け止めて、この掛具に他の穴２、８や他の結束材を掛け止めたり、あるいは、任意の物を自由に掛け止めるようにしてもよい。
【図面の簡単な説明】
【００１５】
【図１】本発明の結束用テープの一実施例を示す構成説明図である。
【図２】図１の結束用テープの作用説明図である。
【図３】図１の結束用テープのよる結束説明図である。
【図４】本発明の結束用テープの別の実施例を示す構成説明図（Ａ）、作用説明図（Ｂ）および作用説明図（Ｃ）である。
【符号の説明】
【００１６】
１    テープ材
１ａ  折曲げ線
２    略Ｈ形状穴
３    掛止片
３′  掛止片
３″  掛止片
４    テープ材
５    Ｘ状切込み
６    折曲げ線
７    掛止片
８    穴
【図１】
2007326587.tif 000003
【図２】
2007326587.tif 000004
【図３】
2007326587.tif 000005
【図４】
2007326587.tif 000006